(57)【要約】  【課題】  原稿排出トレイ上に原稿が排出された状態で原稿搬送部を開いても原稿が排出された位置に保たれる画像読取装置を得る。  【解決手段】  付勢部材２４によって原稿排出トレイ２９ａ上に突出するように原稿移動防止部材２８を、排出された原稿の支点２０ａ側の１辺に接する位置に設ける。原稿移動防止部材２８はＡ３サイズ用２８ａ、Ａ４サイズ用２８ｂおよびＡ５サイズ用２８ｃからなり、例えばＡ３サイズの原稿Ｃ１が排出された場合、Ａ４サイズ用２８ｂおよびＡ５サイズ用２８ｃは原稿Ｃ１の重みにより原稿排出トレイ２９内部に収納される。これにより、支点２０ａを軸にして原稿搬送部２０を開いても、原稿排出トレイ２９ａ上の原稿は１辺が原稿移動防止部材２８に支持されて排出された位置に保たれる。【選択図】      図３
2006193314.tif 000002
【特許請求の範囲】
【請求項１】
本体と、
原稿を載置する原稿載置トレイおよび前記原稿載置トレイから搬送された原稿が排出される原稿排出トレイを備え、前記本体に対して一端を支点として開閉可能に取り付けられた原稿搬送部と、
前記本体内部に設けられ、前記原稿搬送部によって搬送される原稿の画像を読み取る画像読取部とを備えた画像読取装置であって、
前記原稿排出トレイには、前記原稿搬送部を開いた時に前記原稿排出トレイ上の原稿を排出された位置に支持する原稿移動防止部材が複数のサイズの原稿の各々に適合する位置に設けられ、この原稿移動防止部材は前記原稿排出トレイ内部から原稿が排出される面の方向へ突出するように付勢手段により付勢されており、対応可能なサイズの原稿のうち大きいサイズの原稿が排出されるとその原稿よりも小さいサイズの原稿に対応する原稿移動防止部材はその原稿によって前記原稿排出トレイ内部に収納されることを特徴とする画像読取装置。
【請求項２】
本体と、
原稿を載置する原稿載置トレイおよび前記原稿載置トレイから搬送された原稿が排出される原稿排出トレイを備え、前記本体に対して一端を支点として開閉可能に取り付けられた原稿搬送部と、
前記本体内部に設けられ、前記原稿搬送部によって搬送される原稿の画像を読み取る画像読取部とを備えた画像読取装置であって、
前記原稿載置トレイには、原稿の搬送方向に対する垂直方向にスライド可能な原稿ガイドが設けられ、前記原稿排出トレイには、前記原稿搬送部を開いた時に前記原稿排出トレイ上の原稿を排出された位置に支持する原稿移動防止部材が複数のサイズの原稿の各々に適合する位置に設けられ、前記原稿移動防止部材は駆動手段によって前記原稿排出トレイ内部から原稿が排出される面の方向へ突出するように移動可能であり、前記原稿ガイドの設定された位置に応じて前記原稿移動防止部材が前記駆動手段によって突出することを特徴とする画像読取装置。
【請求項３】
前記原稿移動防止部材の各々が、対応する原稿の支持される辺の長さ以上の長さであることを特徴とする請求項１または２に記載の画像読取装置。
【請求項４】
最大サイズの用紙に対応する原稿移動防止部材が前記原稿排出トレイ上に固定されていることを特徴とする請求項１〜３のいずれかに記載の画像読取装置。
【請求項５】
請求項１〜４のいずれかに記載の画像読取装置を備えたことを特徴とする画像形成装置。
【発明の詳細な説明】
【技術分野】
【０００１】
本発明は開閉可能な原稿搬送部を備えた画像読取装置およびこの画像読取装置を備えた画像形成装置に関する。
【背景技術】
【０００２】
複写機やファクシミリまたはコンピュータ等に原稿の画像データを取り込むのに用いられる画像読取装置において、原稿載置トレイに載置された原稿を１枚ずつ自動的に搬送する原稿搬送部を備えるものが用いられている。このような画像読取装置においては、原稿搬送部では搬送できない本などの画像を読み取ることができるように、原稿搬送部を本体に対して開閉可能にし、原稿搬送部を開いた状態にすると本を広げて本体上面の画像読取部に置くことができるようになっているのが一般的である。
【０００３】
特許文献１では、このような画像読取装置において、搬送された原稿が原稿排出トレイ上に残っている状態で原稿搬送部（原稿押さえカバー）を開いた場合に原稿が落下しないようにストッパ部材を設けた画像読取装置が提案されている。
【特許文献１】特開平１１−２０９５７号公報（第４頁、図５）
【発明の開示】
【発明が解決しようとする課題】
【０００４】
しかし、特許文献１で提案されている画像読取装置では、原稿搬送部を開いた場合に排出された原稿の原稿排出トレイ上からの落下は防止できるものの、特に小さい原稿の場合には、原稿が奥に移動して取り出しにくくなったり、また排出された順番が崩れてしまい、使用者が原稿排出トレイから取り出してから順に並べ直す必要が生じたりした。
【０００５】
そこで、本発明では、原稿搬送部を開いても、原稿排出トレイ上の原稿を排出された位置に保つことができる画像読取装置およびこれを備えた画像形成装置を提供することを目的とする。
【課題を解決するための手段】
【０００６】
（１）上記目的を達成するために本発明は、本体と、原稿を載置する原稿載置トレイおよび前記原稿載置トレイから搬送された原稿が排出される原稿排出トレイを備え、前記本体に対して一端を支点として開閉可能に取り付けられた原稿搬送部と、前記本体内部に設けられ、前記原稿搬送部によって搬送される原稿の画像を読み取る画像読取部とを備えた画像読取装置であって、前記原稿排出トレイには、前記原稿搬送部を開いた時に前記原稿排出トレイ上の原稿を排出された位置に支持する原稿移動防止部材が複数のサイズの原稿の各々に適合する位置に設けられ、この原稿移動防止部材は前記原稿排出トレイ内部から原稿が排出される面の方向へ突出するように付勢手段により付勢されており、対応可能なサイズの原稿のうち大きいサイズの原稿が排出されるとその原稿よりも小さいサイズの原稿に対応する原稿移動防止部材はその原稿によって前記原稿排出トレイ内部に収納されることを特徴とする。
【０００７】
（２）また、本発明は、本体と、原稿を載置する原稿載置トレイおよび前記原稿載置トレイから搬送された原稿が排出される原稿排出トレイを備え、前記本体に対して一端を支点として開閉可能に取り付けられた原稿搬送部と、前記本体内部に設けられ、前記原稿搬送部によって搬送される原稿の画像を読み取る画像読取部とを備えた画像読取装置であって、前記原稿載置トレイには、原稿の搬送方向に対する垂直方向にスライド可能な原稿ガイドが設けられ、前記原稿排出トレイには、前記原稿搬送部を開いた時に前記原稿排出トレイ上の原稿を排出された位置に支持する原稿移動防止部材が複数のサイズの原稿の各々に適合する位置に設けられ、前記原稿移動防止部材は駆動手段によって前記原稿排出トレイ内部から原稿が排出される面の方向へ突出するように移動可能であり、前記原稿ガイドの設定された位置に応じて前記原稿移動防止部材が前記駆動手段によって突出することを特徴とする。
【０００８】
（３）また、本発明は、上記構成の画像読取装置において、前記原稿移動防止部材の各々が、対応する原稿の支持される辺の長さ以上の長さであることを特徴とする。
【０００９】
（４）また、本発明は、上記構成の画像読取装置において、最大サイズの用紙に対応する原稿移動防止部材が前記原稿排出トレイ上に固定されていることを特徴とする。
【００１０】
（５）また、本発明の画像形成装置は、上記画像読取装置を備えたことを特徴とする。
【発明の効果】
【００１１】
（１）本発明によると、原稿排出トレイに原稿が排出された状態で原稿搬送部を開いても、原稿が原稿移動防止部材の対応するサイズであれば原稿移動防止部材に支持されるため、排出された位置からずれることがなく、原稿が奥に移動して取り出しにくくなったり、排出された順番が狂ったりすることがない画像読取装置を実現することができる。
【００１２】
（２）また、本発明によると、原稿排出トレイに原稿が排出された状態で原稿搬送部を開いても、原稿が原稿移動防止部材の対応するサイズであれば原稿移動防止部材に支持されるため、排出された位置からずれることがなく、原稿が奥に移動して取り出しにくくなったり、排出された順番が狂ったりすることがない。また、原稿移動防止部材は排出された原稿のサイズに対応したたものだけが駆動手段によって突出するため、排出される原稿が引っかかることもない。
【００１３】
（３）また、本発明によると、原稿排出トレイに排出された原稿は原稿搬送部を開いた際に１辺が全て原稿移動防止部材に支持されるため、原稿が排出された位置からずれることを確実に防ぐことができる。
【００１４】
（４）また、本発明によると、最大サイズの用紙に対応する原稿移動防止部材には不必要な付勢手段または駆動手段を設けないため、コストを節減することができる。
【００１５】
（５）また、本発明によると、原稿排出トレイに原稿が排出された状態で原稿搬送部を開いても、原稿が排出された位置からずれることを防ぐことができる画像形成装置を得ることができる。
【発明を実施するための最良の形態】
【００１６】
本発明の実施形態を図を用いて説明する。図１は本発明に係る画像形成装置の一例である複写機の概略構成図、図２は図１に示す複写機の原稿搬送部の平面図である。
【００１７】
まず複写機１０の各部の構成と動作について説明する。図１に示すように、複写機１０は、本体１１と、本体１１の上方に載置された原稿搬送部２０とを備える。本体１１は、上面に透明ガラス製のプラテン１２を備え、プラテン１２の下方には画像読取部４０を備える。また、内部上方に原稿搬送動作や読取動作、画像形成動作などを制御する制御装置１３、中央部には用紙排出トレイ８２、下方には給紙部５０、画像形成部６０および定着部７０を備える。
【００１８】
原稿搬送部２０は、図１の紙面奥側に設けられた支点２０ａによって本体１１に対して開閉自在に取り付けられている。原稿搬送部２０は、原稿載置トレイ２１と、原稿給送部３０と、原稿搬送路２７と、原稿カバー２９とを備える。
【００１９】
原稿載置トレイ２１には、図２に示すように、原稿載置トレイ２１の用紙搬送方向に垂直な方向の中心Ａを軸として対称に溝２１ｂ上をスライド可能な一対の原稿ガイド２２が設けられており、載置する原稿のサイズに応じて位置を合わせて搬送される原稿が左右にずれないように保持することができる。また、原稿排出トレイ２９ａが原稿カバー２９の上面の一部として一体に形成されている。原稿載置トレイ２１は原稿搬送路２７の上流端をなし、原稿排出トレイ２９ａは原稿搬送路２７の下流端をなす。
【００２０】
原稿給送部３０には原稿搬送路２７に沿って原稿搬送方向上流側から順に、第１の給紙ローラ３１、第２の給紙ローラ３２、分離ローラ３３、第１の搬送ローラ対３４、レジストローラ対３５、第２の搬送ローラ対３６、原稿ガイド３７、第３の搬送ローラ対３８、排出ローラ対３９が設けられている。また、搬送原稿読取位置１２ａがプラテン１２の上面の原稿ガイド３７に対向する位置に設定されている。
【００２１】
第１の給紙ローラ３１はソレノイドなどの図示しない駆動手段により上下に移動可能に設けられている。原稿載置トレイ２１上に原稿Ｃがないときには、原稿載置トレイ２１に設けられた光反射型センサなどの載置原稿検出手段２１ａから制御装置１３に送られた信号に基づき、駆動手段が第１の給紙ローラ３１を上方に移動させる。原稿Ｃが載置されると、駆動手段および自重によって第１の給紙ローラ３１は下方に移動し、原稿Ｃと接触する。
【００２２】
いわゆるシートスルー方式の場合、コピー開始ボタン（不図示）が押されると、原稿載置トレイ２１に読み取る画像が上向きになるように載置された原稿Ｃは第１の給紙ローラ３１によって第２の給紙ローラ３２に向けて原稿搬送路２７に送り出される。原稿Ｃが複数枚同時に送り出された場合は、搬送方向に回転する第２の給紙ローラ３２と、搬送方向と逆方向に回転する分離ローラ３３によって１枚ずつに分離される。続いて第１の搬送ローラ対３４によって停止状態のレジストローラ対３５に原稿Ｃの先端が突き当たるように搬送され、ここで搬送方向に対する傾きが補正される。その後、回転を開始したレジストローラ対３５、第２の搬送ローラ対３６および第３の搬送ローラ対３８によって搬送され、排出ローラ対３９によって原稿排出トレイ２９ａ上に排出される。途中、搬送原稿読取位置１２ａでは後述する画像読取部４０によって画像が読み取られる。読み取られた画像が焦点の合ったものとなるように、原稿Ｃは、原稿ガイド３７によって搬送原稿読取位置１２ａでプラテン１２に接するように誘導される。
【００２３】
また、原稿固定方式の場合、原稿（不図示）は、プラテン１２の上面に設定された静置原稿読取位置１２ｂに載置され、原稿カバー２９によって押さえられ、プラテン１２に接する面の画像が画像読取部４０によって読み取られる。
【００２４】
画像読取部４０は、露光ランプ４１、反射板４２、第１のミラー４３、第２のミラー４４、第３のミラー４５、集光レンズ４６およびイメージセンサ（例えばライン型のＣＣＤ）４７を備える。露光ランプ４１と第１のミラー４３とはキャリッジ４８上に搭載され、図１において水平に左右方向に移動可能に設けられている。
【００２５】
シートスルー方式で搬送される原稿Ｃの画像を読み取る場合には、キャリッジ４８が第１の搬送原稿読取位置１２ａの直下に移動し、露光ランプ４１からの照射光が搬送されている原稿Ｃを露光する。照射光は順に第１のミラー４３、第２のミラー４４、第３のミラー４５、集光レンズ４６を通じてイメージセンサ４７上に縮小結像され、光電変換処理を経て電気信号となるように読み取られ、この電気信号は制御装置１３を経由して画像形成部６０に送られる。
【００２６】
また、原稿固定方式で原稿の画像を読み取る場合には、静置原稿読取位置１２ｂの下方を図１の右方向に移動するキャリッジ４８上の露光ランプ４１および第１のミラー４３がプラテン１２上の原稿を読取走査することにより、照射光がイメージセンサ４７上に縮小結像され、シートスルー方式の場合と同様に、光電変換処理を経て電気信号となるように読み取られ、この電気信号は制御装置１３を経由して画像形成部６０に送られる。
【００２７】
次に給紙部５０について説明する。給紙部５０は、本体１１の最下部に配設された給紙カセット５１と、給紙ローラ５２とを備える。給紙カセット５１は用紙Ｐを収容するものであり、収容された用紙Ｐはここから給紙ローラ５２により１枚ずつ搬送路５５へ送り出され、搬送ローラ対５３およびレジストローラ対５４によって画像形成部６０へ搬送される。
【００２８】
続いて画像形成部６０について説明する。画像形成部６０は、感光体ドラム６１と、その周囲に配設された帯電器６２、光走査ユニット６３、現像器６４、転写ローラ６５およびクリーニング器６６とを備える。感光体ドラム６１は図１において時計回りに回転し、まずその表面が帯電器６２により均一に帯電される。次に、画像読取部４０で読み取られ、制御装置１３を経由して送られた画像の電気信号に基づいて光走査ユニット６３から感光体ドラム６１の表面にレーザ光が照射され、用紙Ｐに形成される画像の部分又は前記画像以外の部分に相当する電荷が消去され、静電潜像が形成される。そしてこの静電潜像に現像器６４によってトナーが供給され静電潜像がトナー画像として顕像化される。
【００２９】
感光体ドラム６１がさらに回転し、トナー画像が転写ローラ６５と対向する位置に来たときに、それに合わせてレジストローラ対５４によって、感光体ドラム６１と転写ローラ６５との間に用紙Ｐが搬送されてくる。このとき転写ローラ６５に、トナーの帯電極性と逆極性の電圧が印加されることにより、感光体ドラム６１の表面のトナー画像が用紙Ｐ上に転写される。用紙Ｐに転写されず感光体ドラム６１の表面に残ったトナーはクリーニング器６６によって除去される。
【００３０】
一方、トナー画像が転写された用紙Ｐは加熱ローラ７１と加圧ローラ７２からなる定着装置７０に搬送され、ここでトナー画像は加熱・加圧されて用紙Ｐに定着する。その後用紙Ｐは用紙排出トレイ８２に排出ローラ対８１によって画像が形成された面を下向きにして排出される。
【００３１】
本発明の第１の実施形態を、図を用いて説明する。図３は、図１に示す原稿搬送部をＸ−Ｘ線で切断した断面図である。第１の実施形態において、原稿排出トレイ２９ａには図１、図３に示すように原稿移動防止部材２８が設けられている。原稿移動防止部材２８は、Ａ３サイズ用２８ａ、Ａ４サイズ用２８ｂおよびＡ５サイズ用２８ｃからなり、図３において二点鎖線で示す、それぞれ短辺を搬送方向に向けて搬送されたＡ３サイズ（２９７ｍｍ×４２０ｍｍ）の原稿Ｃ１、Ａ４サイズ（２１０ｍｍ×２９７ｍｍ）の原稿Ｃ２またはＡ５サイズ（１４８ｍｍ×２１０ｍｍ）の原稿Ｃ３に対応する位置に設けられており、それぞれＡ３、Ａ４またはＡ５サイズの原稿の長辺と同じまたはそれ以上の長さである。
【００３２】
原稿移動防止部材２８は、それぞれ原稿カバー２９の内部から圧縮コイルバネなどからなる付勢手段２４によって原稿排出トレイ２９ａ方向へ付勢され、突出している。付勢手段２４は、短辺を搬送方向に向けて搬送されたＡ３サイズの原稿Ｃ１が排出されるとその重みによりＡ４サイズ用の原稿移動防止部材２８ｂおよびＡ５サイズ用の原稿移動防止部材２８ｃが原稿カバー２９の内部に収納される程度の弾性係数を有するものである。同様に、短辺を搬送方向に向けて搬送されたＡ４サイズの原稿Ｃ２が排出された場合も、付勢手段２４により原稿排出トレイ２９ａに突出した状態のＡ５サイズ用の原稿移動防止部材２８ｃは、原稿Ｃ２の重みにより原稿カバー２９の内部に収納される。
【００３３】
このように、Ａ３サイズの原稿Ｃ１、Ａ４サイズの原稿Ｃ２またはＡ５サイズの原稿Ｃ３は、それぞれに対応した原稿移動防止部材２８ａ、２８ｂまたは２８ｃによって支点２０ａ側の１辺を支持されるため、原稿排出トレイ２９ａ上に排出された状態で原稿搬送部２０を開いても排出された位置からずれることがない。また、長辺を搬送方向に向けて搬送されたＡ４またはＡ５サイズの原稿も同様に、原稿排出トレイ２９の上に排出された状態で原稿搬送部を開いても、それぞれＡ３サイズ用の原稿移動防止部材２８ａまたはＡ４サイズ用の原稿移動防止部材２８ｂによって支持され、排出された位置からずれることがない。
【００３４】
原稿載置トレイ２１にまとめて積載された原稿が複数のサイズからなる場合、各々の原稿の隅を原稿搬送方向先端側の原稿搬送部２０の支点２０ａ側で合わせれば、いずれのサイズの原稿も支障なく原稿給送部３０によって搬送され、画像読取部４０によって画像が読み取られ、かつ原稿搬送部２０を開いた場合には、これらの原稿の最大サイズの原稿に対応した原稿移動防止部材２８によって支点２０ａ側の１辺が支持されるため、原稿排出トレイ２９ａ上の排出された位置からずれることを防止することができる。
【００３５】
原稿移動防止部材２８は図１に示すように原稿搬送方向上流端近傍では上流端側から次第に高くなる形状である。これにより、原稿移動防止部材２８にはそれぞれが対応する以上のサイズの原稿が上流端から確実に乗り上げるため、原稿移動防止部材に原稿が引っかかって原稿給送部３０で原稿が詰まるのを防ぐことができる。
【００３６】
ここで、原稿搬送部２０で搬送できる原稿の最大の大きさがＡ３サイズである場合、Ａ３サイズ用の原稿移動防止部材２８ａは原稿排出トレイ２９ａに突出した状態で固定してもよい。これにより、原稿カバー２９内に収納する必要のないＡ３サイズ用の原稿移動防止部材２８ａには付勢手段２４を設けないため、コストを削減することができる。また、Ｂ４サイズ、Ｂ５サイズなど他のサイズの原稿に対応したい場合は、それらに応じた位置に原稿移動防止部材を設ければよい。
【００３７】
次に本発明の第２の実施形態について図を用いて説明する。第２の実施形態に係る複写機は、第１の実施形態で設けられていた付勢手段２４がない点と、以下に説明するように駆動手段２５および排出原稿検知手段２９ｂが設けられている点が異なる以外は第１の実施形態と同じであり、実質上同一の部分には同一の符号を付してある。図４は第２の実施形態に係る複写機の原稿搬送部を図３と同様に図１のＸ−Ｘ線で切断したときの断面図である。
【００３８】
第２の実施形態において、原稿載置トレイ２１には原稿ガイド２２の位置を検出する原稿ガイド位置検出手段（不図示）が設けられている。原稿カバー２９にはそれぞれ短辺を搬送方向に向けて搬送されたＡ３、Ａ４およびＡ５サイズの原稿の支点２０ａ側の１辺に対応する位置に、原稿移動防止部材２８ａ、２８ｂおよび２８ｃがソレノイドからなる駆動手段２５によって内部から原稿排出トレイ２９ａ上へ突出するように移動可能に設けられている。また、原稿排出トレイ２９ａ上における原稿の有無を検知できるように、原稿排出トレイ２９ａの、用紙搬送方向に対して垂直な方向の中心の、排出ローラ対３９の直下流部に光反射型センサからなる排出原稿検知手段２９ｂが設けられている。
【００３９】
制御装置１３は、コピー開始ボタンが押された時点での、原稿ガイド位置検出手段により検知した原稿ガイド２２の位置に基づいて駆動手段２５を動作させ、原稿移動防止部材２８のうち、原稿ガイド２２の間隔のサイズの原稿に対応するものだけを原稿排出トレイ２９ａ上に突出させる。
【００４０】
これによって、原稿排出トレイ２９ａに原稿が排出された状態で原稿搬送部２０を開いたとしても、原稿は対応する原稿移動防止部材２８によって支持されるため、排出された位置に保持される。また、対応しない原稿移動防止部材２８は原稿カバー２９の内部に収納された状態であるため、例えばＡ３サイズの原稿は、排出される際にＡ４サイズ用の原稿移動防止部材２８ｂおよびＡ５サイズ用の原稿移動防止部材２８ｃにひっかかることがない。
【００４１】
第２の実施形態において、使用者がコピー開始ボタンを押した時点で原稿排出トレイ２９ａに原稿が排出されていることを排出原稿検知手段２９ｂによって検知している場合は、原稿移動防止部材２８のうち、その排出されている原稿に対応したものが既に突出した状態である。このとき、制御装置１３の制御により表示部（不図示）に原稿排出トレイ２９ａから原稿がある旨を表示し、原稿搬送動作を開始しない。その後、使用者によって原稿排出トレイ２９ａから原稿が取り除かれ、排出原稿検知手段２９ｂが原稿を検知しなくなると、原稿載置トレイ２１上に載置された原稿に対応した原稿移動防止部材２８が駆動手段２５により突出し、同時に原稿給送部３０は原稿の搬送を開始する。
【００４２】
これにより、原稿排出トレイ２９ａ上に既に排出されている原稿が、原稿載置トレイ２１上に載置された原稿よりも大きい場合に、排出されている原稿が原稿移動防止部材２８によって突き上げられるのを防ぐことができる。
【産業上の利用可能性】
【００４３】
本発明にかかる画像読取装置は、コンピュータ等に原稿の画像データを取り込むのに用いられるいわゆるスキャナ及び複写機、ファクシミリ等の画像形成装置に用いることができる。
【図面の簡単な説明】
【００４４】
【図１】本発明に係る画像形成装置の一例である複写機の概略構成図。
【図２】図１に示す複写機に備えられた原稿搬送部の平面図。
【図３】第１の実施形態に係る原稿搬送部を図１のＸ−Ｘ線で切断した断面図。
【図４】第２の実施形態に係る原稿搬送部を図１のＸ−Ｘ線で切断した断面図。
【符号の説明】
【００４５】
１０      複写機
１１      本体
２１      原稿載置トレイ
２２      原稿ガイド
２５      駆動手段
２８      原稿移動防止部材
２９      原稿カバー
２９ａ    原稿排出トレイ
４０      画像読取部
Ｃ      原稿
【図１】
2006193314.tif 000003
【図２】
2006193314.tif 000004
【図３】
2006193314.tif 000005
【図４】
2006193314.tif 000006